(57)【要約】      （修正有）【課題】ペットが粒状の餌を回転させて投てきする回転式投餌装置を提供する。【解決手段】粒状のペット用餌が収納される内部空間から餌を粒で排出して、供給する粒餌供給ユニット；前記粒餌供給ユニットから設定された個数の餌が供給され、空中に投てきする投餌ユニット２００；投餌ユニット２００を回転させ、餌の投てき方向を調節する回転駆動ユニット３００；及び前記粒餌供給ユニット、投餌ユニット２００及び回転駆動ユニット３００の動作を入力信号に応じて制御する制御部；を含む。これにより、ペットが面白さを感じながら餌を摂取することができ、飼い主の留守時にも餌を定期的に供給し、ペットの運動量を向上させることができ、ペットが飼い主と離れて感じる心理的不安定を最小化することができる。【選択図】図１３
2019010088.tif 000002
【特許請求の範囲】
【請求項１】
粒状のペット用餌が収納される内部空間から餌を粒で排出して、供給する粒餌供給ユニット；
前記粒餌供給ユニットから設定された個数の餌が供給され、空中に投てきする投餌ユニット；
前記投餌ユニットを回転させ、餌の投てき方向を調節する回転駆動ユニット；及び
前記粒餌供給ユニット、前記投餌ユニット及び前記回転駆動ユニットの動作を入力信号に応じて制御する制御部；
を含むことを特徴とする回転式投餌装置。
【請求項２】
前記粒餌供給ユニットは、
前記内部空間の下面に餌が排出される固定ホールが形成された本体部；
前記本体部の下面に対して、相対回転する１以上の回転ホールが形成され、前記回転ホールと前記固定ホールとが会う位置から餌が粒排出されるように回転する回転プレート部；
を含むことを特徴とする請求項１に記載の回転式投餌装置。
【請求項３】
前記投餌ユニットは、
回動する投てきアームに結合され、粒状の餌が安着される投てき容器からなる投てき部；
前記投てきアームの回動中心に結合される回動支持部；及び
前記投てき容器を、餌が安着される安着位置と餌が投てきされる投てき位置と間で回動させる弾性駆動部；
を含むことを特徴とする請求項１に記載の回転式投餌装置。
【請求項４】
前記回転駆動ユニットは、
前記投餌ユニットが上部に安着されるベース；及び
前記ベースを水平面に垂直な軸を中心に回転駆動させるベース駆動部；
を含むことを特徴とする請求項１に記載の回転式投餌装置。
【請求項５】
前記回転駆動ユニットは、前記ベースをチルトさせるベースチルト駆動部；をさらに含み、
前記制御部は、前記ベースチルト駆動部のチルト量を制御して、餌の投てき角度を調節することを特徴とする請求項４に記載の回転式投餌装置。
【請求項６】
ペットの映像情報を取得するカメラ部；
前記映像情報をユーザー端末に送信し、前記ユーザー端末に入力された前記入力信号を受信する有線又は無線の通信部；
をさらに含むことを特徴とする請求項１に記載の回転式投餌装置。
【請求項７】
前記カメラ部は、前記回転駆動ユニットによって前記投餌ユニットと共に回転駆動されることを特徴とする請求項６に記載の回転式投餌装置。
【請求項８】
前記カメラ部は、前記投餌ユニットから離隔した固定された位置で投てきされた餌の軌跡映像情報を取得できるように前記制御部と有線又は無線に連結されることを特徴とする請求項６に記載の回転式投餌装置。
【請求項９】
前記制御部は、前記ユーザー端末のディスプレイに、前記投餌ユニットによる餌の投てき方向を表示するターゲットライン情報を前記映像情報に結合するターゲットライン生成部；をさらに含み、
前記通信部は、前記ターゲットライン情報が結合された映像情報を、前記ユーザー端末に送信することを特徴とする請求項８に記載の回転式投餌装置。
【請求項１０】
前記カメラ部は、広角レンズを備えることを特徴とする請求項８に記載の回転式投餌装置。
【請求項１１】
前記入力信号は、前記投餌ユニットの投てき強度と投てき角度（θ）及び前記回転駆動ユニットの回転による投てき方位角（φ）からなる投てき情報からなり、
前記制御部は、前記投てき情報による餌の予想到達位置（Ｂ）を計算する到達位置計算部；前記投餌ユニットから順に投てきされた餌の予想到達位置間の距離（Ｌ）を累積合算して、ペットの予想累積移動距離を計算する移動距離計算部；を含むことを特徴とする請求項１に記載の回転式投餌装置。
【請求項１２】
前記投てき情報は、前記投餌ユニットが設けられる地面からの高さ（ｈ）をさらに含むことを特徴とする請求項１１に記載の回転式投餌装置。
【請求項１３】
前記入力信号が入力される入力部を備えたディスプレイユニット；をさらに含み、
前記制御部は、前記投餌ユニットから餌が順に投てきされるたびに、前記予想累積移動距離を前記ディスプレイユニットに表示することを特徴とする請求項１１に記載の回転式投餌装置。
【請求項１４】
移動距離による消費カロリー情報をペットの体重別に収納するデータベース部；をさらに含み、
前記入力信号は、餌を摂取するペットの体重情報をさらに含み、
制御部は、入力された前記体重情報に応じて前記予想累積移動距離に相応する消費カロリーを計算する消費カロリー計算部；をさらに含むことを特徴とする請求項１１に記載の回転式投餌装置。
【請求項１５】
前記入力信号は、前記投餌ユニットの投てき角度（θ）及び前記回転駆動ユニットの回転による投てき方位角（φ）からなる投てき情報からなり、
前記制御部は、入力された前記投てき情報に応じて餌を投てきするように制御することを特徴とする請求項１に記載の回転式投餌装置。
【請求項１６】
前記入力信号は、投てき餌の個数、ランダムモード選択情報を含み、
前記制御部は、入力された前記ランダムモード選択情報により、前記投餌ユニットの投てき強度、投てき角度（θ）及び前記回転駆動ユニットの回転による投てき方位角（φ）の少なくともいずれか一つを変更して、入力された投てき餌の個数の餌を投てきするように制御することを特徴とする請求項１に記載の回転式投餌装置。
【発明の詳細な説明】
【技術分野】
【０００１】
本発明は、ペットが粒状の餌を回転させて投てきする回転式投餌装置に関する。
【背景技術】
【０００２】
近頃、一人世帯、二人世帯など小規模家庭や子供たちの情緒育成の目的などでペットを飼う家庭が増えている。
【０００３】
このようなペットを元気に飼うためには、持続的な管理が必要であり、特に給食において、一定の時間に定量の餌を供給しなければ、栄養欠乏や過食による肥満などの問題を防止することができない。
【０００４】
しかし、長期間の留守などからペットの餌を定期的に供給できない場合が発生し、これにより、ペットは餌を食べるとき、餌を急いで摂取する短所があった。また、長期間の留守中に、多量の餌を一度に提供する場合、これを一度に摂取するか、飼料が変質してしまい、ペットの健康上の問題が発生する可能性があるという問題があった。
【０００５】
このような問題を解決するために、特許文献１には、伴侶動物の飼い主の留守中にもペットの餌を設定された時間に設定された量を自動で供給できる伴侶動物の知能的な給餌装置が開示されている。
【０００６】
しかし、前述した従来技術の場合、飼い主の留守中にも、ペットに餌を与えることができるが、ペットが餌を噛まずに飲み込み、消化不良などの健康問題が発生する可能性があった。また、飼い主がいないので、ペットの運動量が少なくなり、ペットの体力が低下される問題があり、ペットが飼い主と離れて、心理的不安定を感じる問題があった。
【０００７】
また、特許文献２には、餌を特定位置に載置した後、プッシャーを用いて餌を打撃することによって、餌を発射して供給する餌発射装置が開示されている。
【０００８】
しかし、プッシャーが餌を打撃する過程で餌が損傷する問題があり、飼い主が餌発射装置を手に把持し、直接発射位置を調整するので、適切な位置に餌を発射し難く、飼い主がいない状態で餌を供給することができなく、まかり間違えば、ペットに向かって発射される危険があった。
【０００９】
さらに、特許文献３には、餌収納筒から第１プッシャーを用いて粒を押し上げて排出し、排出された餌を第２プッシャーで打撃して発射することによって、粒状の餌を発射供給する給餌装置が開示されている。
【００１０】
しかし、第１プッシャー上部に餌が定位に安着されなかった場合、第１プッシャーの上昇にも餌が排出されない問題が頻繁に発生し、第２プッシャーが排出された餌を打撃する過程で餌が損傷されることから、発射される餌が一定の位置に落下され、ペットの運動量を向上させることができないという問題があった。
【先行技術文献】
【特許文献】
【００１１】
【特許文献１】韓国  公開特許公報  第１０−２０１６−００８１４６８号
【特許文献２】米国  公開特許公報  第１４−２０５４３４号
【特許文献３】米国  公開特許公報  第１４−９９７００７号
【発明の概要】
【発明が解決しようとする課題】
【００１２】
前述のような問題点を解決するために、本発明の目的は、飼い主の留守時にも餌を定期的に供給し、ペットの運動量を向上させることができる回転式投餌装置を提供することにある。
【００１３】
また、本発明の目的は、飼い主が遠距離でもペットの給餌位置を多様に調節し、ペットの運動量を向上させると同時に、飼い主と離れて感じる心理的不安定を最小化する回転式投餌装置を提供することにある。
【課題を解決するための手段】
【００１４】
前述の課題を解決するための本発明の回転式投餌装置は、粒状のペット用餌が収納される内部空間から餌を粒で排出して、供給する粒餌供給ユニット；前記粒餌供給ユニットから設定された個数の餌が供給され、空中に投てきする投餌ユニット；前記投餌ユニットを回転させ、餌の投てき方向を調節する回転駆動ユニット；及び前記粒餌供給ユニット、前記投餌ユニット及び前記回転駆動ユニットの動作を入力信号に応じて制御する制御部；を含む。
【００１５】
好ましくは、前記粒餌供給ユニットは、前記内部空間の下面に餌が排出される固定ホールが形成された本体部；前記本体部の下面に対して、相対回転する１以上の回転ホールが形成され、前記回転ホールと前記固定ホールとが会う位置から餌が粒排出されるように回転する回転プレート部；を含む。
【００１６】
好ましくは、前記投餌ユニットは、回動する投てきアームに結合され、粒状の餌が安着される投てき容器からなる投てき部；前記投てきアームの回動中心に結合される回動支持部；及び前記投てき容器を、餌が安着される安着位置と餌が投てきされる投てき位置と間で回動させる弾性駆動部；を含む。
【００１７】
好ましくは、前記回転駆動ユニットは、前記投餌ユニットが上部に安着されるベース；及び前記ベースを水平面に垂直な軸を中心に回転駆動させるベース駆動部；を含む。
【００１８】
好ましくは、前記回転駆動ユニットは、前記ベースをチルトさせるベースチルト駆動部；をさらに含み、前記制御部は、前記ベースチルト駆動部のチルト量を制御して、餌の投てき角度を調節する。
【００１９】
好ましくは、ペットの映像情報を取得するカメラ部；前記映像情報をユーザー端末に送信し、前記ユーザー端末に入力された前記入力信号を受信する有線又は無線の通信部；をさらに含む。
【００２０】
好ましくは、前記カメラ部は、前記回転駆動ユニットによって前記投餌ユニットと共に回転駆動される。
【００２１】
好ましくは、前記カメラ部は、前記投餌ユニットから離隔した固定された位置で投てきされた餌の軌跡映像情報を取得できるように前記制御部と有線又は無線に連結される。
【００２２】
好ましくは、前記制御部は、前記ユーザー端末のディスプレイに、前記投餌ユニットによる餌の投てき方向を表示するターゲットライン情報を前記映像情報に結合するターゲットライン生成部；をさらに含み、前記通信部は、前記ターゲットライン情報が結合された映像情報を、前記ユーザー端末に送信する。
【００２３】
好ましくは、前記カメラ部は、広角レンズを備える。
【００２４】
好ましくは、前記入力信号は、前記投餌ユニットの投てき強度と投てき角度θ及び前記回転駆動ユニットの回転による投てき方位角φからなる投てき情報からなり、前記制御部は、前記投てき情報による餌の予想到達位置Ｂを計算する到達位置計算部；前記投餌ユニットから順に投てきされた餌の予想到達位置間の距離Ｌを累積合算して、ペットの予想累積移動距離を計算する移動距離計算部；を含む。
【００２５】
好ましくは、前記投てき情報は、前記投餌ユニットが設けられる地面からの高さ（ｈ）をさらに含む。
【００２６】
好ましくは、前記入力信号が入力される入力部を備えたディスプレイユニット；をさらに含み、  前記制御部は、前記投餌ユニットから餌が順に投てきされるたびに、前記予想累積移動距離を前記ディスプレイユニットに表示する。
【００２７】
好ましくは、移動距離による消費カロリー情報をペットの体重別に収納するデータベース部；をさらに含み、  前記入力信号は、餌を摂取するペットの体重情報をさらに含み、  制御部は、入力された前記体重情報に応じて前記予想累積移動距離に相応する消費カロリーを計算する消費カロリー計算部；をさらに含む。
【００２８】
好ましくは、前記入力信号は、前記投餌ユニットの投てき角度θ及び前記回転駆動ユニットの回転による投てき方位角φからなる投てき情報からなり、前記制御部は、入力された前記投てき情報に応じて餌を投てきするように制御する。
【００２９】
好ましくは、前記入力信号は、投てき餌の個数、ランダムモード選択情報を含み、前記制御部は、入力された前記ランダムモード選択情報により、前記投餌ユニットの投てき強度、投てき角度θ及び前記回転駆動ユニットの回転による投てき方位角φの少なくともいずれか一つを変更して、入力された投てき餌の個数の餌を投てきするように制御する。
【発明の効果】
【００３０】
本発明の回転式投餌装置によれば、粒状の餌を投てきして供給することによって、ペットが面白さを感じながら餌を摂取することができ、飼い主の留守時にも餌を定期的に供給して、ペットの運動量を向上させることができる。
【００３１】
また、本発明は、飼い主が遠距離でもペットの投餌位置を多様に調節することができ、ペットの運動量を向上させると同時に飼い主と離れて感じる心理的不安定を最小化することができる。
【００３２】
また、本発明は、餌を粒状で供給し、ペットが餌を咀嚼して食べるようにすることによって、ペットの消化を促進することができる。
【００３３】
また、本発明は、ベース駆動部及びベースチルト駆動部を備えることによって、餌の投てき方向及び投てき角度を調節することができる。
【００３４】
また、本発明はカメラ部と通信部とを備えることによって、ユーザー端末を介してペットの餌摂取の姿などを確認することができる。
【００３５】
また、本発明は、ターゲットライン生成部を備えることによって、ユーザー端末に餌の投てき方向を表示することができる。
【００３６】
また、本発明は、移動距離計算部を備えることによって、餌の投てき強度、投てき角度及び投てき方位角によるペットの移動距離を計算することができる。
【００３７】
また、本発明は、データベース部と消費カロリー計算部を備えることによって、ペットの移動距離に相応する消費カロリーを計算することができる。
【００３８】
また、本発明は、入力される投てき情報により餌を投てきすることができる。
【００３９】
また、本発明は、ランダムモード選択情報により投てき強度、投てき角度及び投てき方位角の少なくとも一つを変更して餌を投てきすることができる。
【図面の簡単な説明】
【００４０】
【図１】本発明の給餌ユニットを示した斜視図である。
【図２】本発明の給餌ユニットを示した正面図である。
【図３】本発明の給餌ユニットを示した側面図である。
【図４】本発明の粒餌供給ユニットを示した斜視図である。
【図５】本発明の粒餌供給ユニットを示した分解斜視図である。
【図６】本発明の粒餌供給ユニットを示した側断面図である。
【図７】本発明の粒餌供給ユニットを構成する本体部を示した斜視図である。
【図８】本発明を構成する餌収納部が給餌ユニットに結合された状態を示した斜視図である。
【図９】本発明の粒餌供給ユニットを構成するプッシャー部を示した正面図である。
【図１０】本発明の粒餌供給ユニットを構成するプッシャー部の別の実施例を示した正面図である。
【図１１】本発明の粒餌供給ユニットを構成するプッシャー部のさらに別の実施例を示した正面図である。
【図１２】本発明の粒餌供給ユニットを構成する回転プレート部を示した斜視図である。
【図１３】本発明の安着位置における投餌ユニットを示した斜視図である。
【図１４】本発明の投てき位置における投餌ユニットを示した斜視図である。
【図１５】本発明の安着位置における投餌ユニットを示した側面図である。
【図１６】本発明の投てき位置における投餌ユニットを示した側面図である。
【図１７】本発明の投餌ユニットを構成する弾性駆動部を示した斜視図である。
【図１８】本発明の安着位置における投餌ユニットを示した概略図である。
【図１９】図１８から弾性部材が引張された状態を示した概略図である。
【図２０】図１９から係止部材が離脱し、投てき部が投てき位置に回動された状態を示した概略図である。
【図２１】本発明の投てき部の安着位置における係止部を示した斜視図である。
【図２２】本発明の投てき部の投てき位置における係止部を示した斜視図である。
【図２３】本発明の粉餌収納部を示した斜視図である。
【図２４】本発明の離脱防止プレートを示した斜視図である。
【図２５】本発明の回転式投餌装置を示した構成図である。
【図２６】本発明の餌の予想到達位置とペットの予想累積移動距離を示したグラフである。
【図２７】本発明の投餌経路を示したグラフである。
【発明を実施するための最良の形態】
【００４１】
以下では、本発明の実施例について図面を参照して具体的に説明する。本発明の回転式投餌装置は、ペットに粒状の餌を回転して投てきする。これにより、ペットが餌を一粒ずつ咀嚼して食べて消化を促進し、面白さを感じながら餌を摂取することができ、飼い主の留守時にも餌を定期的に供給して、ペットの運動量を測定及び向上させることができる。
【００４２】
本発明の回転式投餌装置は、図１〜図３に示されるように、粒餌供給ユニット１００、投餌ユニット２００、回転駆動ユニット３００、カメラ部５００、通信部６００、制御部４００及びディスプレイユニット７００からなる。
【００４３】
粒餌供給ユニット１００は、粒状のペット用餌が収納される内部空間１１１から餌を粒で排出して供給する。
【００４４】
投餌ユニット２００は、粒餌供給ユニット１００から設定された個数の餌が供給され、空中に投てきする。
【００４５】
回転駆動ユニット３００は、投餌ユニット２００を回転させ、餌の投てき方向を調節する。
【００４６】
制御部４００は、粒餌供給ユニット１００、投餌ユニット２００及び回転駆動ユニット３００の動作を入力信号に応じて制御する。
【００４７】
本発明の回転式投餌装置を構成する粒餌供給ユニット１００、投餌ユニット２００、回転駆動ユニット３００及び制御部４００について具体的に説明する。
【００４８】
粒餌供給ユニット１００は、図４〜図１２に示されるように、本体部１１０、回転プレート部１２０、回転プレート駆動部１３０及び感知センサー１４０からなる。
【００４９】
本体部１１０は、内部空間１１１の下面に餌が排出される固定ホール１１２が形成される。
【００５０】
本体部１１０は、図７に示されるように、粒状の餌が収納される内部空間１１１が備えられ、内部空間１１１に固定ホール１１２、回転プレート駆動部挿入ホール１１４、プッシャー部配置プレート挿入ホール１１５が構成される。
【００５１】
固定ホール１１２は、内部空間１１１の下面の中心から偏心された位置に形成され、餌が内部空間１１１から固定ホール１１２を介して本体部１１０外部に排出される。
【００５２】
回転プレート駆動部挿入ホール１１４は、内部空間１１１の下面の中心に形成され、本体部１１０外部に配置された回転プレート駆動部１４０と本体部１１０内部に配置された回転プレート部１２０とを連結して、回転駆動力を伝達する通路となる。
【００５３】
プッシャー部配置プレート挿入ホール１１５は、内部空間１１１中心から固定ホール１１２が形成された方向の内部空間１１１の側面に形成され、後記するプッシャー部配置プレート１１３ｅが挿入され、本体部１１０に結合される。
【００５４】
本体部１１０は、餌収納部１１６とプッシャー部１１３とを備えることができる。
【００５５】
餌収納部１１６は、本体部１１０上部に延長形成され、内部空間１１１の上部に結合され、内部空間１１１の餌収納量を拡張させる。これにより、ペット別の餌摂取量に応じて餌収納部１１６をさらに備え、収納量を増大させるか、餌収納部１１６を脱去して、給餌装置の体積を減少させることができる。このとき、餌収納部１１６の個数を調節し、収納量を決めることができる。
【００５６】
プッシャー部１１３は、固定ホール１１２上部に備えられ、１個の餌が固定ホール１１２を介して排出され、残りの餌が排出位置に流入することを遮断させる。ここで、排出位置とは、回転プレート部１２０に形成された回転ホール１２１と固定ホール１１２とが会う位置であり、回転ホール１２１に安着された餌が固定ホール１１２を介して排出される位置を指す。
【００５７】
具体的に、回転プレート部１２０に形成された回転ホール１２１に安着された餌は、回転プレート部１２０が回転して排出位置に到達すれば、固定ホール１１２を介して本体部１１０外部に排出される。このとき、プッシャー部１１３は、回転ホール１２１に安着された１個の餌のみ排出位置に流入させ、残りの餌の流入を遮断させる。これにより、餌は餌で供給され得る。
【００５８】
このようなプッシャー部１１３は、弾性材質からなっていてもよく、軟質のシリコーン材質からなっていてもよい。これにより、プッシャー部１１３は、前述した残りの餌を遮断させる過程で、柔軟に餌と接触されるので、餌の損傷なく、排出位置への流入を遮断させることができる。
【００５９】
プッシャー部１１３は、多様な形態に配置され、内部空間１１１の底面からプッシャー部１１３下端までの高さは、餌の最大幅より大きく、最大幅の２倍より小さい。これにより、１個の餌のみが排出位置に流入され、残りの餌はプッシャー部にかかり、流入が遮断される。
【００６０】
まず、プッシャー部１１３は、基本的にプッシャー部配置プレート１１３ｅを含み、プッシャー部配置プレート１１３ｅから突出された下部ピン、上部ピン及び突出プレートの少なくとも一つにより排出位置への餌流入を遮断させる。
【００６１】
プッシャー部配置プレート１１３ｅは、本体部１１０のプッシャー部配置プレート挿入ホール１１５に挿入され、固定される。図示しないが、プッシャー部配置プレート１１３ｅを別途構成せずに、本体部１１０内面に下部ピン、上部ピン及び突出プレートの少なくとも一つが突出形成され得る。
【００６２】
下部ピン１１３ａは、２つ以上が配置され、各下部ピン１１３ａは、互いに側方に配置される。
【００６３】
上部ピンは、下部ピン１１３ａの上部に離隔配置され、第１、第２上部ピン１１３ｂ、１１３ｃに区分され得る。
【００６４】
第１上部ピン１１３ｂは、下部ピン１１３ａの少なくとも一つの垂直上方に配置され、第２上部ピン１１３ｃは、隣接した２個の下部ピン１１３ａ間に配置される。
【００６５】
以下では、３つの形態に配置されたプッシャー部１１３について、図９〜図１１を参照して具体的に説明する。このと、図面に表示された矢印は、回転プレート部１２０の回転に伴う餌の移動方向を指す。
【００６６】
第一に、プッシャー部１１３は、図９に示されるように、ピン形状の下部ピン１１３ａと第１上部ピン１１３ｂ及び第２上部ピン１１３ｃを含む。
【００６７】
下部ピン１１３ａは、４個が互いに側方に配置され、隣接した２個の下部ピン１１３ａ間の間隔は、餌の最小幅より狭く配置される。これにより、排出位置への流入が遮断された残りの餌がプッシャー部１１３の上部に移動し、下部ピン１１３ａの間に落下し、排出位置に流入されることを防止することができる。
【００６８】
第１上部ピン１１３ｂは、図面の左側の第１番目に位置した下部ピン１１３ａの垂直上方に配置される。このとき、第１上部ピン１１３ｂは、第１番目に位置した下部ピン１１３ａとの間隔が餌の最小幅より狭く配置される。これにより、排出位置への流入が遮断された餌がプッシャー部１１３上部に移動し、第１上部ピン１１３ｂと下部ピン１１３ａと間に落下し、排出位置に流入されることを防止することができる。
【００６９】
一方、第１上部ピン１１３ｂは、どの下部ピン１１３ａの垂直上方に配置されてもよい。
【００７０】
第２上部ピン１１３ｃは、図面の第２番目と第３万目に位置した下部ピン１１３ａの間と第３番目と第４番目に位置した下部ピン１１３ａの間に、それぞれ一つずつ配置される。
【００７１】
第二に、プッシャー部１１３は図１０に示されるように、ピン形状の下部ピン１１３ａと第２上部ピン１１３ｃを含む。
【００７２】
下部ピン１１３ａは、４個が互いに側方に配置される。
【００７３】
第２上部ピン１１３ｃは、下部ピン１１３ａから上部に離隔され、隣接した２個の下部ピン１１３ａ間に、それぞれ一つずつ合計３個が配置される。第２上部ピン１１３ｃは、隣接した２個の下部ピン１１３ａの少なくとも一つとの間隔が餌の最小幅より狭く配置される。これにより、排出位置への流入が遮断された残りの餌がプッシャー部１１３の上部に移動し、第２上部ピン１１３ｃと隣接するように配置された下部ピン１１３ａの間に落下し、排出位置に流入されることを防止することができる。
【００７４】
このとき、隣接した２個の第２上部ピン１１３ｃ間の間隔が餌の最小幅より狭く配置され得る。
【００７５】
第三に、プッシャー部１１３は、図１１に示されるように、ピン形状の下部ピン１１３ａと第２上部ピン１１３ｃ及び突出プレート１１３ｄを含む。
【００７６】
下部ピン１１３ａは、３個が互いに側方に配置される。
【００７７】
第２上部ピン１１３ｃは、下部ピン１１３ａから上部に離隔され、隣接した２個の下部ピン１１３ａ間に、それぞれ一つずつ合計２個が配置される。第２上部ピン１１３ｃは、隣接した２個の下部ピン１１３ａの少なくとも一つとの間隔が餌の最小幅より狭く配置される。これにより、排出位置への流入が遮断された残りの餌がプッシャー部１１３の上部に移動し、第２上部ピン１１３ｃと隣接するように配置された下部ピン１１３ａの間に落下し、排出位置に流入されることを防止することができる。
【００７８】
突出プレート１１３ｄは、プレート形状に形成され、突出プレート１１３ｄの上面が、餌が回転する方向に上向き傾斜するように配置される。これにより、排出位置への流入が遮断された残りの餌がプッシャー部１１３の上部に容易に移動し、排出位置に流入されることを防止することができる。
【００７９】
前述した３つの形態のプッシャー部１１３は、下部ピン、第１上部ピン、第２上部ピン及び突出プレートの個数に関係なく配置することができる。また、プッシャー部１１３を介して残りの餌が落下し、排出位置に流入されることを防止できるものであれば、いかなる形態で配置していていもよい。
【００８０】
一方、上部ピン（第１上部ピン又は第２上部ピン）が複数個配置される場合、隣接した２個の上部ピン間の間隔は、餌の最小幅より狭く配置される。これは、残りの餌がプッシャー部上部に移動する過程で、２個の上部ピン間に挟まれて停滞することを防止するためである。
【００８１】
回転プレート部１２０は、本体部１１０の下面に対して、相対回転する１以上の回転ホール１２１が形成される。回転ホール１２１が本体部１１０に対して、相対回転して、回転ホール１２１と固定ホール１１２とが会う位置から餌が粒排出される。このとき、回転プレート部１２０は、本体部１１０下面の上部又は下部に位置することができる。
【００８２】
回転プレート部１２０は、図１２に示されるように、内部空間１１１下部に位置して回転し、回転ホール１２１、突起１２２及び中央突出部１２３が構成される。
【００８３】
回転ホール１２１は、回転プレート部１２０の上下を貫通し、１つ以上が形成され、回転プレート部１２０回転時、固定ホール１１２と会うようになり、回転ホール１２１に安着された餌が固定ホール１１２を介して排出されるように餌を安着及び移動させる。
【００８４】
突起１２２は、回転プレート部１２０上面に突出形成される。突起１２２は、回転プレート部１２０の回転時、内部空間１１１で回転プレート部１２０上部の餌を撹拌させる。これは、餌の上下移動を円滑にし、内部空間１１１で餌が停滞し、回転プレート部１２０のみ回転する現象を防止することができる。
【００８５】
中央突出部１２３は、回転プレート部１２０上面の回転中心から突出形成される。これにより、餌が回転プレート部１２０の中心から偏心するように位置し、回転移動することによって、回転プレート部１２０の回転時、餌が回転プレート部１２０の中心に位置し、移動せずに、回転する問題を防止することができる。
【００８６】
回転プレート駆動部１３０は、図５及び図６に示されるように、回転プレート部１２０を回転させる駆動部材であり、回転プレート駆動部１３０は、回転駆動力を発生させ、回転プレート駆動部挿入ホール１１４を介して回転プレート部１２０と連結される。回転プレート駆動部１３０は、回転駆動力を発生させ、回転プレート部１２０に伝達し、回転プレート部１２０を回転させる。
【００８７】
感知センサー１４０は、固定ホール１１２に位置し、固定ホール１１２を通過する餌を感知する。これにより、固定ホール１１２を介して餌が供給されないか、複数の餌が供給されるなどの問題を把握することができる。
【００８８】
感知センサー１４０は、図１５及び図１６に示されるように、第１発光部ＴＸ１、第１受光部ＲＸ１、第２発光部ＴＸ２及び第２受光部ＲＸ２からなる。
【００８９】
第１発光部ＴＸ１と第１受光部ＲＸ１は、上下に一組が配置され、第１発光部ＴＸ１から発光された光が餌に反射され、第１受光部ＲＸ１に受光されることで、餌の排出の有無を感知することができる。
【００９０】
第２発光部ＴＸ２と第２受光部ＲＸ２は、上下に一組が配置され、第２発光部ＴＸ２から発光された光が餌に反射され、第２受光部ＲＸ２に受光されることで、餌の排出の有無を感知することができる。
【００９１】
このとき、第１発光部ＴＸ１と第１受光部ＲＸ１の側部に、第２発光部ＴＸ２と第２受光部ＲＸ２を配置することができる。これにより、一組の発光部と受光部を備えた場合よりも感知センサーの効率を向上させることができる。また、第１発光部ＴＸ１は、第１受光部ＲＸ１の下部に配置され、第２発光部ＴＸ２は、第１受光部ＲＸ１の側部に配置され、第２受光部ＲＸ２は、第２発光部ＴＸ２の下部に配置される。このように発光部と受光部を交差配置することによって、センサーの効率をより一層向上させることができる。
【００９２】
制御部４００は、感知センサー１４０の餌感知の有無に応じて、回転プレート駆動部１３０の作動を制御することができる。
【００９３】
具体的に、制御部４００は、感知センサー１４０から餌感知の有無に関する情報が伝達され、感知センサー１４０が餌を感知すれば、回転プレート駆動部１３０を停止させ、回転プレート部１２０の回転を停止させる。これにより、餌は固定ホール１１２を介して粒で供給され、次の餌が供給されるまで余裕時間を確保することができる。余裕時間が確保されることによって、粒で供給された飼料が、投餌ユニット２００により投てきされる時間を考慮することができる。また、ペットが、供給された飼料を十分に咀嚼して食べることができ、ペットの消化を促進することができる。
【００９４】
また、制御部４００は、回転ホール１２１が排出位置に到達したが、餌が感知されない場合、回転プレート部１２０を継続して回転させるように制御することができる。そして、固定ホール１１２を通過する餌が複数個のとき、餌の粒での供給に異常があることを知らせることもできる。
【００９５】
投餌ユニット２００は、図１３〜図１６に示されるように、固定ホール１１２を介して排出された餌を投てきする装置であり、投てき部２１０、回動支持部２２０、弾性駆動部２３０、係止部２４０、ストッパー２５０及び粉餌収納部２６０からなる。
【００９６】
投てき部２１０は、回動する投てきアーム２１２に結合され、粒状の餌が安着される投てき容器２１１からなる。
【００９７】
投てき部２１０は、 粒餌供給ユニット１００から供給された餌を投てきし、投てき容器２１１及び投てきアーム２１２からなる。
【００９８】
投てき容器２１１は、凹状の容器形態で構成され、 粒餌供給ユニット１００の固定ホール１１２を介して粒で排出された餌が安着される。このとき、投てき容器２１１は投てき部２１０の作用点となる。
【００９９】
投てきアーム２１２は、投てき容器２１１に結合される梁状の部材であり、テコの役割を果たし、制限された角度間を回動する。
【０１００】
このとき、投てき部２１０は、投てき容器２１１に安着された餌を投てきできるように安着位置と投てき位置と間を回動する。ここで、‘安着位置’は投てき容器２１１が、餌を安着するために下部に位置した状態であり、‘投てき位置’は安着位置から餌に力を加え、投てきするために投てき容器２１１が上部に位置した状態を指す。
【０１０１】
回動支持部２２０は、投てきアーム２１２の回動中心に結合され、投てき部２１０を支持する。これにより、投てき部２１０は、回動中心を基準にして回動し、餌を投てきすることができる。このとき、回動中心は、投てき部２１０の支点となる。
【０１０２】
弾性駆動部２３０は、図１７に示されるように、投てき容器２１１を安着位置と投てき位置と間で回動させており、弾性部材２３１、回転ドラム２３２及び回転駆動院２３３からなる。
【０１０３】
弾性部材２３１は、弾性材質からなり、引張されることにより、弾性力が発生される。弾性部材２３１は、片側が投てきアーム２１２に連結され、他側が回転ドラム２３２に連結される。このとき、弾性部材２３１と投てきアーム２１２とが連結される位置が投てき部２１０の力点となる。
【０１０４】
回転ドラム２３２は、弾性部材２３１の他側に連結されて回転する。回転ドラム２３２の回転によって、弾性部材２３１が回転ドラム２３２の外側に巻取られ、引張させることで、弾性部材２３１に弾性力が発生される。
【０１０５】
回転駆動院２３３は、弾性部材２３１に弾性力を提供するように回転ドラム２３２を回転させる。
【０１０６】
制御部４００は、弾性駆動部２３０回転ドラム２３２の回転量を調節し、餌の投てき距離を調節するように回転駆動院２３３を制御することができる。
【０１０７】
制御部４００は、回転駆動院２３３を制御し、回転ドラム２３２の回転角を調節し、回転ドラム２３２の回転角に応じて弾性部材２３１の巻取り長さが異なり、弾性部材２３１の引張長さを調節する。これにより、弾性部材２３１に発生される弾性力を調節することが、餌の投てき強度を調節し、餌の投てき距離を制御することができる。
【０１０８】
以下では、図１８〜図２０を参照して、弾性駆動部２３０の駆動過程を具体的に説明する。
【０１０９】
図１８は、投てき部２１０が安着位置に位置した状態であり、弾性部材２３１の片側が連結された投てきアーム２１２の連結地点は上部に位置し、弾性部材２３１の他側が連結された回転ドラム２３２の連結地点は投てきアーム２１２の連結地点に向かって位置する。このとき、弾性部材２３１は、引張されなく弾性力が発生されない状態である。
【０１１０】
図１９は、回転ドラム２３２が回転し、弾性力が発生した状態であり、回転ドラム２３２の回転により回転ドラム２３２の連結地点は、図面の反時計回りに回転移動する。
【０１１１】
投てきアーム２１２は、係止部２４０により安着位置に固定された状態であり、投てきアーム２１２の連結地点は、継続して上部に位置し、回転ドラム２３２の連結地点が回転移動し、弾性部材２３１の他側が回転ドラム２３２の外側に巻き取られ、引張される。これにより、弾性部材２３１は引張による弾性力が発生される。
【０１１２】
図２０は、投てき部２１０が弾性力によって投てき位置に位置した状態であり、係止部２４０は投てき部２１０が安着位置で固定された状態を解除させる。これに対して、投てきアーム２１２の連結地点は弾性力によって回転ドラム２３２に向かって移動して下部に位置し、回転ドラム２３２の連結地点は、図１９と同じ位置に位置する。これにより、弾性部材２３１は弾性力によって投てき部２１０を投てき位置に位置させ、弾性力が消耗される。
【０１１３】
以降、回転ドラム２３２の連結地点が図面の時計回りに回転移動すれば、投てき部２１０は、荷重によって図１８に示されるように、安着位置に位置する。このとき、弾性部材２３１には弾性力が発生しない。
【０１１４】
一方、投てき部が弾性力によって安着位置から投てき位置に回動させることができるのであれば弾性駆動部はいかなる構造で形成されていてもよい。
【０１１５】
係止部２４０は、図２１及び図２２に示されるように、投てき部２１０の安着位置を支持する支持部材であり、係止部材２４１と係止駆動部２４２からなる。
【０１１６】
係止部材２４１は、投てきアーム２１２を安着位置に固定させるか、安着位置から投てき位置に回動するように固定された状態を解除する。これにより、弾性部材２３１に弾性力が発生された状態で、投てきアーム２１２が安着位置を維持できるように固定させることができる。
【０１１７】
係止駆動部２４２は、係止部材２４１が投てきアーム２１２を安着位置に固定させる位置と固定された状態を解除する位置と間を移動し、ロックと解除機能をする。
【０１１８】
以下では、図２１及び図２２を参照して、係止部２４０の駆動過程を具体的に説明する。
【０１１９】
図２１は、係止部材２４１が、投てきアーム２１２を安着位置に固定させた状態であり、回動中心と投てき容器２１１と間の投てきアーム２１２を上部で支持し、投てき部２１０の安着位置を維持させることができる。これは、投てき部２１０の安着位置で弾性駆動部２３０により投てき位置に向かって弾性力が発生されたとき、係止部材２４１により投てき位置に回動移動されることを防止する。
【０１２０】
図２２は、係止部材２４１が、投てきアーム２１２を安着位置から投てき位置に回動させるように固定された状態を解除した状態であり、投てきアーム２１２の上部を支持した係止部材２４１を回転又は移動させる。これにより、投てきアーム２１２に対する係止部材２４１の支持力を解除させ、投てき部２１０が弾性力により投てき位置に回動移動可能にする。
【０１２１】
投てき部２１０が、投てき位置に移動し、餌を投てきした後には、弾性駆動部２３０により投てき部２１０が再び安着位置に回動移動される。安着位置に回動移動された状態で、係止部材２４１が投てきアーム２１２上部に再び回転又は移動し、投てき部２１０の安着位置を維持させる。
【０１２２】
このような係止部２４０は、係止構造形状（例えば、‘Ｌ字状’）に形成され、回転することによって、投てきアーム２１２の安着位置を固定させるか、固定された状態を解除させるように移動することができる。係止部２４０は、投てきアーム２１２の安着位置を固定させるか、固定された状態を解除させることができる形態であればいかなる形態であってもよい。
【０１２３】
ストッパー２５０は、図１５、図１６に示されるように、安着位置で投てきアーム２１２の回動角度を制限し、投てきアーム２１２の安着位置配置角度を設定し、投てき位置で投てきアーム２１２の回動角度を制限し、 餌投てき角度を設定する。
【０１２４】
このようなストッパー２５０は、回動支持部２２０の上部及び投てき部２１０の上部に配置され得る。
【０１２５】
具体的に、図１５に示されるように、安着位置で投てきアーム２１２は、水平面を基準にして、１５°〜６０°の傾斜角θ１を有するように配置される。安着位置で投てきアーム２１２の傾斜角θ１が１５°未満とき、投てき位置に回動される角度が小さすぎて餌を投てきするための十分な弾性力を得難い。安着位置で投てきアーム２１２の傾斜角θ１が６０°を超えると、投てき容器２１１に餌が安着することができなく、落下する危険が大きい。
【０１２６】
図１６に示されるように、投てき位置で投てきアーム２１２は、水平面を基準にして、１５°〜６０°の傾斜角θ２を有するように配置される。これにより、ストッパー２５０は、投てき部２１０の 餌投てき角度を設定することができる。投てき位置で投てきアーム２１２の傾斜角θ２が１５°未満のとき、安着位置から投てき位置に回動される角度が小さすぎ得て餌を投てきするための十分な弾性力を提供され難く、 餌投てき角度が大きすぎて餌が遠くに飛ばなく垂直方向に近く投てきされる。投てき位置で投てきアーム２１２の傾斜角θ２が６０°を超えると、 餌投てき角度が小さすぎて餌が水平方向と近く投てきされ、投てき、後餌の落下時、落下地点から転がり、家具等の下部の隙間に入る問題がある。
【０１２７】
したがって、投てき位置で投てきアーム２１２の傾斜角θ２を１５°〜６０°、好ましくは２０°〜５０°に設定すれば、餌投てき角度が適切であり、餌の飛行時間が長く、落下時、転ぶことなく、餌が放物線に沿って飛行するので、ペットが飛行する餌を見て、落下時、簡単に餌を探すことができる。一方、餌の落下前に、飛行する餌を受けることもできる。
【０１２８】
また、図示しないが、ストッパー２５０は、ストッパー移動部をさらに含んでもよい。
【０１２９】
ストッパー移動部は、餌投てき角度を調節できるように、ストッパーの配置位置を調節する。これは、ストッパーの位置を移動させ、投てきアームの配置角度を調節するか、ストッパーと投てきアームとが接触される接触面の傾斜角を調節し、投てきアームの配置角度を調節することができる。
【０１３０】
ストッパーは、安着位置と投てき位置の少なくとも一つの位置において、投てきアームの配置角度を設定するものであれば、いかなる形態であってもよい。
【０１３１】
一方、安着位置と投てき位置のそれぞれにおいて、投てきアームの配置角度を制限するように個別ストッパーを備えていてもよい。
【０１３２】
粉餌収納部２６０は、餌から発生された粉餌が収納され、投餌ユニット２００の掃除を手軽に行うことができる。
【０１３３】
まず、投てき容器２１１は、餌が安着される底面に排出ホール２１１ａが形成され、餌が投てき容器２１１に安着される過程で発生した粉餌が排出ホール２１１ａを介して、投てき容器２１１外部に排出される。これにより、投てき容器２１１は餌のみを投てきすることができ、投餌ユニット２００の周辺や内部をきれいに維持することができる。
【０１３４】
これに対し、粉餌収納部２６０は、投てき容器２１１下部に脱着可能に備えられ、投てき容器２１１の排出ホール２１１ａから排出された粉餌を収納する。
【０１３５】
粉餌収納部２６０は、投餌ユニット２００に対して、引出形式でスライドされ、脱着することができる。
【０１３６】
これにより、粉餌収納部２６０に粉餌が収納されれば、粉餌収納部２６０を脱去し、収納された粉餌を処理した後、再び取り付けることによって、投餌ユニット２００内部の掃除を手軽に行うことができる。
【０１３７】
回転駆動ユニット３００は、投餌ユニット２００の下部に配置され、投てき部２１０の投てき方向を調節するように水平面に垂直な軸を中心に投餌ユニット２００を回転させる。回転駆動ユニット３００は、粒餌供給ユニット１００と投餌ユニット２００全体を回転させてもよく、投餌ユニット２００だけを個別的に回転させてもよい。
【０１３８】
これにより、餌の投てき方向を調節することができ、これはペットが多様な方向へと投てきされる餌に向かって移動するので、ペットの運動量を向上させることができる。
【０１３９】
また、回転駆動ユニット３００は、投餌ユニット２００を水平面に対して、チルトすることもできる。これは 餌投てき角度を変化させることによって、餌の投てき距離と餌の投てき経路などを多様に変化させることができる。
【０１４０】
このような回転駆動ユニット３００は、ベース、ベース駆動部３１０及びベースチルト駆動部３２０からなっていてもよい。
【０１４１】
ベースは、上部に投餌ユニット２００が安着される。
【０１４２】
ベース駆動部３１０は、ベースを水平面に垂直な軸を中心に回転駆動させる。これにより、餌の投てき方向を調節することができる。
【０１４３】
ベースチルト駆動部３２０は、ベースをチルトさせる。このとき、制御部４００は、ベースチルト駆動部３２０のチルト量を制御して、餌投てき角度を調節する。
【０１４４】
本発明の粒餌供給ユニット１００、投餌ユニット２００及び回転駆動ユニット３００は、図１〜図３に示されるように、ケース部１０、ガイド部３０、離脱防止プレート４０、音源発生部をさらに含む。
【０１４５】
ケース部１０は、粒餌供給ユニット１００と投餌ユニット２００の外部を覆って保護する部材であり、回転式投餌装置の外観を美しくすることができる。また、ペットや飼い主が投餌ユニット２００の駆動過程を妨害することを防止することができる。
【０１４６】
一方、ケース部１０は、本体部１１０の内部空間１１１で餌を引込み又は引出しできるようにホールが形成されるか、開閉部を有しており、投餌ユニット２００から投てきされた餌がケース部１０外部に投てきされ得るホールが形成されてもよい。また、投餌ユニット２００の作動過程を肉眼で調べられるように、投餌ユニット２００が備えられたケース部１０の側面を空けておくか、透明窓で構成することもできる。
【０１４７】
ガイド部３０は、粒餌供給ユニット１００の固定ホール１１２を介して排出された餌が、投餌ユニット２００の投てき容器２１１に安着されるように餌をガイドする。
【０１４８】
ガイド部３０は、固定ホール１１２の下部から投てき容器２１１を向かって下方傾斜するように形成されることが好ましく、直線、曲線など多様な形態で形成可能である。
【０１４９】
このとき、ガイド部３０は、投てき部２１０が安着位置と投てき位置と間を回動する経路を干渉しないように形成される。
【０１５０】
離脱防止プレート４０は、投てき容器２１１の側部に配置されるプレート形状の部材であり、餌がガイド部３０に沿って投てき容器２１１を向かって供給される過程で、投てき容器２１１を離脱した餌が回転式投餌装置外部に離脱することを防止する。
【０１５１】
餌は、ガイド部３０の傾斜により投てき容器２１１を離脱し、投てき容器２１１側部にはじかれることがある。このとき、離脱防止プレート４０により回転式投餌装置外部に離脱することを防止し、離脱防止プレート４０に衝突した餌は、投てき容器２１１下部の粉餌収納部２６０に落下して、再び使用することもできる。
【０１５２】
音源発生部は、投てき容器２１１に安着された餌を投てきする前に、音源を発生させる。これにより、ペットは音源発生部から発生された音源を聞いて、即ち、餌の投てき時期を予測して、餌を摂取する準備ができる。
【０１５３】
また、音源発生部は、餌の投てき地点と投てきされた餌の落下時点と間に、音源を発生させ、餌が飛行する時間をペットに認知させることもできる。
【０１５４】
これにより、ペットが音源発生部から発生された音源を通して、給餌時期を認知することによって、ペットを訓練させることができる。
【０１５５】
本発明の回転式給餌装置について、ペットに餌が供給される過程を調べれば、
【０１５６】
まず、粒餌供給ユニット１００の回転プレート部１２０の回転に伴って、回転ホール１２１に安着された餌が、固定ホール１１２と会う地点で固定ホール１１２を介して粒状の餌が排出される。
【０１５７】
排出された餌は、ガイド部３０に沿って安着位置に配置された投てき容器２１１に安着される。弾性駆動部２３０は、投てき部２１０が安着位置に配置された状態で、回転ドラム２３２が回転し、弾性部材２３１を引張させ、弾性力を発生させる。
【０１５８】
弾性部材２３１が十分な弾性力を発生させ、投てき容器２１１に餌が安着された状態で、係止部材２４１が回転又は移動することによって、投てき部２１０は、弾性力により投てき位置に回動する。
【０１５９】
投てき部２１０は、ストッパー２５０により 餌投てき角度が設定される。
【０１６０】
餌の投てき後、弾性駆動部２３０は、回転ドラム２３２が逆に回転する。このとき、弾性部材２３１が引張されるか、収縮しなく、投てき部２１０が投てき位置から安着位置に回動される。
【０１６１】
投てき部２１０が安着位置に配置されれば、係止部材２４１は再び回転し、投てき部２１０を安着位置に固定させ、次の投てきを待機する。
【０１６２】
前述した通りに、餌を供給すれば、ペットは、餌が投てきされる経路を認知し、面白さを感じることができ、投てき部がストッパーにより投てき位置に停止し、発生する音によりペットを反応するようにすることができる。
【０１６３】
また、餌が、粒で供給され、ペットが餌を十分に咀嚼して食べることができる時間を提供し、ペットの消化を促進する。
【０１６４】
一方、投餌ユニット２００は、粒餌供給ユニット１００から２個以上の設定された個数の餌が供給され、同時に投てきすることができる。例えば、複数のペットがいる場合、投てき容器２１１にペットの数だけの餌が安着されるまで、 粒餌供給ユニット１００から餌を供給した後、投てき容器２１１に安着された複数の餌を同時に投てきすることができる。これにより、複数の餌は、それぞれ違う方向に投てきされ、複数のペットが互いに争わずに、それぞれの餌を摂取することができる。
【０１６５】
カメラ部５００は、ペットの映像情報を取得する。図１〜図３に示されるように、カメラ部５００は、投てき部２１０により餌が投てきされる方向に向かって装着され得る。これにより、カメラ部５００は、回転駆動ユニット３００によって投餌ユニット２００と共に回転駆動され、餌が投てきされる方向の餌の軌跡映像情報を取得することができる。
【０１６６】
また、図示しないが、カメラ部は、投餌ユニットから離隔された固定された位置で投てきされた餌の軌跡映像情報を取得することもできる。このとき、カメラ部は、制御部と有線又は無線で接続される。
【０１６７】
このようなカメラ部５００は、広角レンズを備え、さらに広い空間の映像情報を取得することができる。
【０１６８】
通信部６００は、カメラ部５００が取得した映像情報をユーザー端末１に送信し、ユーザー端末１に入力された入力信号を受信し、有線又は無線を介して送受信する。このような入力信号には、投てき強度、投てき角度θ、投てき方位角φ、投てき開始信号などからなる投てき情報を含む。
【０１６９】
即ち、通信部６００は、ユーザー端末１と有線／無線通信網を介して、情報を送受信する。
【０１７０】
これにより、飼い主が外出するか、回転式投餌装置と異なる空間にいる時にも餌が投てきされる位置、ペットが投てきされた餌を摂取する姿などを確認することができる。さらに、飼い主が所持したユーザー端末と回転式投餌装置を連動し、飼い主が、ユーザー端末を介して指示通りに、第餌の投てき強度、投てき角度θ及び回転駆動ユニット３００の回転による投てき方位角φを調節するか、投餌後、次の投餌までの時間などを調節し、ペットに餌を供給することができる。
【０１７１】
制御部４００は、粒餌供給ユニット１００、投餌ユニット２００及び回転駆動ユニット３００の動作を入力信号に応じて制御する。
【０１７２】
制御部４００は、ユーザー端末１から受信される入力信号に応じて、回転プレート駆動部１３０、弾性駆動部２３３及び係止駆動部２４２を制御する。これにより、飼い主は、ユーザー端末１を介して餌の投てき強度、投てき角度θ及び投てき方位角φ、投てき時間などを決めることができる。
【０１７３】
これは、飼い主が、手で直接餌を投げるようにペットに餌を供給するので、飼い主の留守時や飼い主が遠距離に位置した時にもペットとのつながりが感じることができる。また、ペットは、回転式投餌装置から供給される餌を、遊びを通じて面白く摂取することによって、飼い主と離れて感じる心理的不安感が低下されるという長所がある。
【０１７４】
制御部４００は、ターゲットライン生成部４１０、到達位置計算部４２０、移動距離計算部４３０、データベース部４４０及び消費カロリー計算部４５０からなる。
【０１７５】
ターゲットライン生成部４１０は、ユーザー端末１のディスプレイに、投餌ユニット２００による餌の投てき方向を表示するターゲットライン情報を映像情報に結合する。このとき、通信部６００は、ターゲットライン情報が結合された映像情報をユーザー端末１に送信する。
【０１７６】
これにより、飼い主は、ユーザー端末１を介して投餌ユニット２００が餌を投てきする方向を確認することができる。これは、飼い主が餌の投てき方向を予想することができ、飼い主が所望の位置に餌を投てきするように調節することができる。
【０１７７】
到達位置計算部４２０は、図２６に示されるように、投てき情報による餌の予想到達位置Ｂ１、Ｂ２、Ｂ３を計算する。
【０１７８】
図２６は、回転式投餌装置により投てきされた餌の投てき経路を平面状に示したものであり、ポイント‘０’は、回転式投餌装置の位置を示す。
【０１７９】
Ａ１は、第１番目に投てきされた餌が落下された位置であり、Ｂ１は第１番目に落下された餌が転んでいくことを考慮して、餌の最終到達位置を予想して計算した予想到達位置である。このとき、φ１は最初に投てきされた餌の投てき方位角である。
【０１８０】
同様に、Ａ２は、第２番目に投てきされた餌の落下された位置、Ｂ２は、第２番目に落下された餌の予想到達位置、φ２は第２番目に投てきされた餌の投てき方位角である。
【０１８１】
Ａ３は、第３番目に投てきされた餌の落下された位置、Ｂ３は第３番目に落下された餌の予想到達位置、φ３は第３番目に投てきされた餌の投てき方位角である。
【０１８２】
到達位置計算部４２０は、餌の投てき強度、投てき角度θ及び投てき方位角φから餌の予想到達位置Ｂ１、Ｂ２、Ｂ３を計算する。
【０１８３】
一方、到達位置計算部４２０が餌の予想到達位置Ｂ１、Ｂ２、Ｂ３を計算するための投てき情報は、投餌ユニット２００が設けられる地面からの高さｈをさらに含むことができる。
【０１８４】
図２７は、回転式投餌装置により投てきされた餌の投てき経路を側面状に示したものであり、ｈは、回転式投餌ユニット２００が設けられる地面から高さであり、θは餌の投てき角度であり、Ａは投てきされた餌の落下位置であり、Ｂは落下された餌が転んでいくことを考慮し、餌の最終到達位置を予想して、計算した予想到達位置である。
【０１８５】
投餌ユニット２００の設置位置が地面から高くなると、それに伴う餌の予想到達位置が変わるので、投てき情報に投餌ユニット２００の設置高さｈを考慮する必要がある。
【０１８６】
移動距離計算部４３０は、図２６に示されるように、投餌ユニット２００から順に投てきされた餌の予想到達位置間の距離Ｌ１２、Ｌ２３を累積合算して、ペットの予想累積移動距離を計算する。
【０１８７】
図２６に示されたＬ１２は、第１番目に投てきされた餌の予想到達位置Ｂ１と第２番目に投てきされた餌の予想到達位置Ｂ２と間の距離であり、Ｌ２３は第２番目に投てきされた餌の予想到達位置Ｂ２と第３番目に投てきされた餌の予想到達位置Ｂ３と間の距離である。
【０１８８】
ペットは、投てきされた餌の予想到達位置に移動し、餌を摂取することになるので、順に投てきされた餌の予想到達位置間の距離Ｌ１２、Ｌ２３を合算すれば、第１番目から第３回目の餌を投てきする間、ペットが移動した距離を予想して計算することができる。
【０１８９】
データベース部４４０は、移動距離による消費カロリー情報をペットの体重別に収納する。これは、移動距離が同一でもペットの体重に応じて消費カロリーが異なるからである。
【０１９０】
したがって、入力信号は、餌を摂取するペットの体重情報をさらに含む。
【０１９１】
消費カロリー計算部４５０は、データベース部４４０に入力された体重情報により予想累積移動距離に相応する消費カロリーを計算する。
【０１９２】
これにより、回転式投餌装置から投てきされる餌を摂取するために、ペットが消費する消費カロリーが分かる。これにより、ペットに供給する餌を摂取することによって得るカロリーと消費カロリーとを比較し、ペットの給餌量又は運動量を調節することができる。これは、ペットの体重を管理することができる。
【０１９３】
制御部４００は、入力された投てき情報により餌を投てきするように制御する。これは、投餌ユニット２００の投てき強度、投てき角度θ及び投てき方位角φを制御することができ、投餌時間、投餌の個数などを更に含んでもよい。
【０１９４】
一方、制御部４００は、回転式投餌装置をランダムモードで制御することができる。
【０１９５】
制御部４００に入力される入力信号が、投てき餌の個数、ランダムモード選択情報を含んだとき、制御部４００はランダムモードで制御される。
【０１９６】
ランダムモードは、制御部４００が入力されたランダムモード選択情報により投餌ユニット２００の投てき強度、投てき角度θ及び投てき方位角φの少なくともいずれか一つを変更して、入力された投てき餌の個数の餌を投てきするように制御する。
【０１９７】
これにより、飼い主が投餌時毎に餌の投てき情報を入力しなくても、餌の投てき位置を変更して餌を投てきすることができる。
【０１９８】
ディスプレイユニット７００は、入力信号が入力される入力部７１０を備える。
【０１９９】
制御部４００は、投餌ユニット２００から餌が次に投てきされるたびに予想累積移動距離をディスプレイユニット７００に表示する。
【０２００】
ディスプレイユニット７００は、予想累積移動距離だけでなく、投てき情報、映像情報、ターゲットライン情報、消費カロリー情報などを表示することができる。
【０２０１】
以上では、本発明の具体的実施態様を、図面を中心に説明したが、本発明の権利範囲は、特許請求範囲に記載された技術的思想を中心にその変形物又は均等物にまで及ぶことは自明であろう。
【産業上の利用可能性】
【０２０２】
本発明は、ペットが粒状の餌を回転して投てきする回転式投餌装置を提供する。
【符号の説明】
【０２０３】
１  ユーザー端末
１０  ケース部
３０  ガイド部
４０  離脱防止プレート
１００  粒餌供給ユニット
１１０  本体部
１２０  回転プレート部
１３０  回転プレート駆動部
１４０  感知センサー
２００  投餌装置
２１０  投てき部
２２０  回動支持部
２３０  弾性駆動部
２４０  係止部
２５０  ストッパー
２６０  粉餌収納部
３００  回転駆動ユニット
３１０  ベース駆動部
３２０  ベースチルト駆動部
４００  制御部
４１０  ターゲットライン生成部
４２０  到達位置計算部
４３０  移動距離計算部
４４０  データベース部
４５０  消費カロリー計算部
５００  カメラ部
６００  通信部
７００  ディスプレイユニット
７１０  入力部
【図１】
2019010088.tif 000003
【図２】
2019010088.tif 000004
【図３】
2019010088.tif 000005
【図４】
2019010088.tif 000006
【図５】
2019010088.tif 000007
【図６】
2019010088.tif 000008
【図７】
2019010088.tif 000009
【図８】
2019010088.tif 000010
【図９】
2019010088.tif 000011
【図１０】
2019010088.tif 000012
【図１１】
2019010088.tif 000013
【図１２】
2019010088.tif 000014
【図１３】
2019010088.tif 000015
【図１４】
2019010088.tif 000016
【図１５】
2019010088.tif 000017
【図１６】
2019010088.tif 000018
【図１７】
2019010088.tif 000019
【図１８】
2019010088.tif 000020
【図１９】
2019010088.tif 000021
【図２０】
2019010088.tif 000022
【図２１】
2019010088.tif 000023
【図２２】
2019010088.tif 000024
【図２３】
2019010088.tif 000025
【図２４】
2019010088.tif 000026
【図２５】
2019010088.tif 000027
【図２６】
2019010088.tif 000028
【図２７】
2019010088.tif 000029